(57)【特許請求の範囲】
【請求項１】
容器本体と、異材質で形成され前期容器本体の底部分に嵌着される底部材とを有する異材質部材組付容器であって、
前記底部材の底面に、該底部材と一体に形成され、屈曲部を介して引き上げ可能な引上部を有し、該引上部に係止突起が設けられており、該係止突起と前記容器本体とを噛合することにより、前記底部材を前記容器本体に取り取り付けていることを特徴とする異材質部材組付容器。
【発明の詳細な説明】
【０００１】
【発明の属する技術分野】
本発明は、容器の底部分に容器本体とは異なる材質を以て形成された部材を取り付けた異材質部材組付容器に関するものであり、特に前記容器本体と部材の分離を容易なものとする異材質部材組付容器に関するものである。
【０００２】
【従来の技術】
各種瓶類やスプレー缶、ペットボトルなどにおいて、美観や耐衝撃性、容器の安定性等を高める理由から、このような容器本体の底部分等に異材質で形成された別部材を嵌着して構成することがある。このような異材質部材はその商品を使用している間は容器本体に嵌着されている必要があり、不用意に外れてしまうことがないよう堅固に取り付けられている。
【０００３】
【発明が解決しようとする課題】
しかしながら近年に於いては資源のリサイクル運動の高まりからゴミの分別収集、資源の再利用が広く行われるようになってきた。従って上記の如き異材質部材を有する商品は、これを破棄する際には容器本体と異材質部材を分離させる必要がある。しかし上述のように堅固に取り付けられた異材質部材を分離させることは難しく、結果として収集された容器が再資源として利用されないという問題点があった。
【０００４】
【課題を解決するための手段】
上記課題を解決するために本発明に係る異材質部材組付容器は、容器本体と、異材質で形成され前期容器本体の底部分に嵌着される底部材とを有する異材質部材組付容器であって、前記底部材の底面に、該底部材と一体に形成され、屈曲部を介して引き上げ可能な引上部を有し、該引上部に係止突起が設けられており、該係止突起と前記容器本体とを噛合することにより、前記底部材を前記容器本体に取り取り付けていることを特徴とする。
【０００５】
【発明の実施の形態】
図を用いて本発明に係る異材質部材組付容器の第一実施例を説明する。図１は第一実施例に係る異材質部材組付容器の外観斜視図、図２は底部斜視図、図３は容器の底部であって(a) は側面断面図、(b) は下面図、図４は異材質部材を取り外す際の動作を説明する図である。
【０００６】
図１に示すように、本実施例に係る異材質部材組付容器（以下容器Ａという）はガラス製の容器本体１と、合成樹脂性の底部材２とから構成されている。容器本体１は断面長円の円筒体であって、容器本体１上部の肩部には細い円筒状の首部11が設けられている。首部11外周にはネジが形成され、図示しない蓋を嵌合するよう構成されている。
【０００７】
また容器本体１の底部12には底段部13が形成され、該底段部13に底部材２が嵌着されている。底部材２は合成樹脂性の部材であって、下面は容器本体１の断面と等しい形状及び寸法を有し、容器本体１の外周面と面一となって意匠的に一体となる。
【０００８】
底部材２は、図２及び図３に示すように、容器本体１側に後退した揚底部21と、その周辺に立設される周側辺20とから構成されている。また揚底部21にはその一部がスリット22ｃにより囲まれて、引上部22が形成されている。
【０００９】
引上部22は揚底部21の一部であって、長方形の一辺を揚底部21と連続させると共に他の辺を分離させることにより形成されている。引上部22は揚底部21の長円の長軸及び短軸と各辺を平行に設定しており、長軸と平行な一辺を揚底部21に連続させて屈曲部24としている。
【００１０】
引上部22の先端22ａでは揚底部21と隔てるスリット22ｃが大きくなって、後述するコインを挿入し得る開口部23が形成される。なおこの引上部22の先端22ａの上面側には傾斜面22ｂを形成し、コインを挿入しやすいように構成されている。引上部22の内面には両面テープ26が貼着されており、これを容器本体１の底面に貼着させている。即ち引上部22の両面テープ26のみにより、容器本体１と底部材２が接合されている。
【００１１】
上記の如く構成された容器Ａから異材質部材である底部材２を分別させる際の操作を図２及び図３(b) を用いて説明する。開口部23にコイン３等の板状部材を挿入し、これを図２及び図４に矢印Ｘにて示す如く容器Ａ外側に向けて倒す。コイン３の中途部はその裏面が開口部23の揚底部21側端面27にあたり、この部分が支点となってコイン３の先端が矢印Ｙ方向に回動する。
【００１２】
すなわち梃子の原理により、コイン３の先端が引上部22を引き上げる一方、底部材２の引上部22以外の部分はコイン３がその支点としてこれを容器本体１側へ押え込むために、コイン３の力は相対的に引上部22のみに作用し、引上部22は屈曲部24で折れることによって引き上げられる。そして、これに従って図４に示すように両面テープ26が剥離し、容器本体１と底部材２の接合が解除される。
【００１３】
このようにして、底部材２は、容器使用時には容器本体１に嵌着させておくことが可能であると共に、容器を破棄する際にはコイン３を開口部に差し込んで所定方向へ力を加えることによって簡単に両者を分別させることが可能となる。
【００１４】
また、上記第一実施例の如く構成した容器に於いて、図５(a) に示すように屈曲部24の内面に切込25を設けることでもよい。これにより、引上部22を引き起こす際に折り曲げるべき屈曲部24の断面積を減少させ、屈曲位置を特定することができる。すなわち同図(b) に示すようにコイン３を開口部23へ挿入して引上部22を引き上げた場合に、少ない力を以て屈曲させることができると同時に、他の場所で屈曲してしまうことを防ぐことができ、より簡単に両面テープ26を剥離させることができる。
【００１５】
またさらに、図６(a) に示すように容器本体１の底段部13であって開口部23に対応する位置に、凹部13ａを形成することとしてもよい。この凹部13ａは開口部23及び引上部先端22ａに対応して配置されており、引上部先端22ａが凹部13ａ上にかぶさるように突出している。
【００１６】
このように構成した底部材２の引上部22を引き上げる際には、図６(a) に破線にて示すようにコイン３を開口部23から凹部13ａへ深く差し込み、図６(b) に示すように端面27を支点としてコイン３を回動させる。このとき引上部先端22ａが凹部13ａ上に突出していることから、コイン３と引上部先端22ａとの接触面積が大きくなり、確実に力を伝えることが可能となる。
【００１７】
次に、本発明に係る異材質部材組付容器の第二実施例を図７及び図８を用いて説明する。図７は第二実施例に係る容器であって(a) は底部側面断面図、(b) は底部下面図、図８は異材質部材を取り外す際の動作を説明する図である。上記第一実施例と説明の重複する部分については、同一の符号を付して説明を省略する。
【００１８】
本実施例に係る容器Ｂは断面略長方形状であって、容器本体４と、該容器本体４の底部42に嵌着された異材質部材である底部材５とから構成されている。図７(a) に示すように、容器本体４の底部42には、第一段部43、第二段部44、第三段部45が形成されており、第二段部44の側面であって長方形状の両短辺には、係合溝44ａが形成されている。
【００１９】
底部材５は容器本体４側に後退した揚底部51と、その周辺に立設される周側辺50とから構成されている。周側辺50の外面は容器本体４の外面と一致する形状及び寸法に形成され、容器本体４の外周面と面一となって意匠的に一体となる。
【００２０】
また図7(b)に示すように長方形状の揚底部51の両端部には、それらの一部をスリット52ｄで囲むことにより引上部52が形成されている。引上部52は外側の辺にて揚底部51と連続されて屈曲部54とし、該屈曲部54の内面に切込55が形成されている。また引上部52の先端52ｃに対応する位置に、横長の開口部53が形成されている。この開口部53より内側に前記第三段部45が位置し、凹部45ａが形成され、引上部先端52ｃの周囲に空間が形成されている。
【００２１】
引上部52の容器本体４側には立設片52ａが形成され、また該立設片52ａの先端部内側に係止突起52ｂが設けられている。底部材５を容器本体４に嵌着した際には、この係止突起52ｂが上記係合溝44ａと噛合する。
【００２２】
上記の如く構成された容器Ｂから異材質部材である底部材５を分別する際の操作を説明する。まず図7(a)に破線にて示すように、コイン３等の板状部材を開口部53から凹部45ａに挿入する。次に図８に示すようにコイン３の後端を容器Ｂ中心に向かって倒すと、梃子の原理により開口部53の揚底部51側端面56を支点として回動する。
【００２３】
すると、開口部53に挿入されたコイン３先端が反対方向に移動して、引上部先端52ｃを引き上げる方向へ力を加えることになる。一方、コイン３の中途部が底部材５を容器本体１側に押圧するので相対的に引上部52のみに力が加わり、切込55から引上部52が折れる。そしてこれに伴って立設片52ａが引き上げられ、係止突起52ｂと係合溝44ａの噛合が解除される結果となる。これを両側の引上部52において行うことにより、底部材５を容器本体４から分別することが可能である。
【００２４】
また図９に示すように、底部材５の開口部53を塞ぐごとく蓋53ａを形成することでもよい。図９は開口部に蓋を設けた例であって、(a) は底部側面断面図、(b) は底部下面図である。蓋53ａは揚底部51との連続部をヒンジ部53ｂとして、その内面に肉薄部53ｃを設けられて形成されている。
【００２５】
上記の如く構成した容器Ｂにおいて容器本体４と底部材５とを分別する際には、まず蓋53ａを底部材５の内側に折り込んで開口部53を開き、コイン３を挿入する。このとき蓋53ａのヒンジ部53ｂ内面に肉薄部53ｃが形成されていることにより、容易に開口部53を開くことができる。しかる後にコイン３を倒すことによって上述の如く底部材５を容器本体４より分別させることができる。これらのことより、使用時に於いて開口部53を覆い隠すことができ、外観上の美観を損なうことがない。
【００２６】
またさらに図10に示すように、端面56を下方に向かって隆起する如く形成してもよい。このように梃子の支点となる端面56を隆起させることによって、作用点である引上部先端52ｃの移動距離を伸ばすことができ、より確実に噛合を解除させることができる。
【００２７】
次に、図11及び図12を用いて本発明に係る第三の実施例を説明する。第三実施例に係る容器は、第二実施例にかかる容器と比して、屈曲部の配置、すなわち引上部の回動方向が異なっている。図11は第三実施例に係る容器であって(a) は底部側面断面図、(b) は底部下面図、図12は異材質部材を取り外す際の動作を説明する図である。上記各実施例と説明の重複する部分については、同一の符号を付して説明を省略する。
【００２８】
図11に示すように本実施例に係る容器Ｃは上記第二実施例と同様断面略長方形状であって、容器本体４と、該容器本体４の底部42に嵌着された異材質部材である底部材６とから構成されている。図11(a) に示すように、容器本体４の底部42には、第一段部43及び第二段部44が形成されており、第二段部44の側面であって長方形状の両短辺には、係合溝44ａが形成されている。
【００２９】
底部材６は容器本体４側に後退した揚底部61と、その周辺に立設される周側辺60とから構成されている。周側辺60の外面は容器本体４の外面と一致する形状及び寸法に形成され、容器本体４の外周面と面一になって意匠的に一体となる。
【００３０】
また図11(b) に示すように、長方形状の揚底部61の長軸方向の両端に、該揚底部61とスリット62ｄにて分離することにより、引上部62が形成されている。二つの引上部62は揚底部61の中心寄りの辺を揚底部61に連続させて屈曲部64としている。屈曲部64の内面には切込65が形成されており、屈曲部64が屈曲する際には切込65が広がることにより容易に折れ曲がることができる。
【００３１】
また引上部62の外側の辺である引上部先端62ｃに対応する位置に、開口部63が形成されている。開口部63が引上部62の容器外側に位置していることから、開口部63の内面には第二段部44による空間が位置しており、即ち引上部先端62ｃの周囲には空間が形成されている。
【００３２】
引上部62の容器本体４側には立設片62ａが形成され、また該立設片62ａの先端部内側に係止突起62ｂが設けられている。したがって底部材６を容器本体４に嵌着した際には、係止突起62ｂが上記係合溝44ａと噛合する。
【００３３】
上記の如く構成された容器Ｃから異材質部材である底部材６を分別する際の操作を説明する。まず図11(a) に破線にて示すように、コイン３を開口部63に挿入する。次に図12に示すようにコイン３後端を容器Ｃ外側に向かって倒せば、コイン３が梃子の原理により開口部63の揚底部61側端面66を支点として回動し、コイン３先端が反対方向に移動する。これに伴って引上部先端62ｃが引き上げられ、引上部62が屈曲部64より屈曲する。すると立設片62ａが撓んで係止突起62ｂと係合溝44ａの噛合が解除される。これを両側の引上部62において行うことにより、底部材６を容器本体４から分別することが可能である。
【００３４】
また、第三実施例の如く二つの引上部を有し、且つ第一実施例の如く両面テープや接着剤等を用いて容器本体と引上部とを接合することでもよい。図13に示すのは本発明に係る第四の実施例であって、(a) は底部側面断面図、(b) は底部下面図である。上記各実施例と説明の重複する部分については、同一の符号を付して説明を省略する。
【００３５】
図13に示すように本実施例に係る容器Ｄは断面略長方形状であって、容器本体７と、該容器本体７の底部72に嵌着された異材質部材である底部材８とから構成されている。図13(a) に示すように、容器本体７の底部72には底段部73が形成されている。
【００３６】
底部材８は容器本体７側に後退した揚底部81と、その周辺に立設される周側辺80とから構成されている。周側辺80の外面は容器本体７の外面と一致する形状及び寸法に形成され、容器本体７の外周面と面一になって意匠的に一体となる。
【００３７】
また主に図13(b) に示すように、長方形状の揚底部81の長軸方向の両端に該揚底部81とスリット82ｃにて分離することにより、引上部82が形成されている。二つの引上部82は揚底部81の中心寄りの辺を揚底部81に連続させて屈曲部84としている。また引上部82の外側の辺である引上部先端82ａの上面側には傾斜面82ｂが形成されている。また引上部先端82ａでは揚底部と隔てるスリット82ｃが大きくなって、コインを挿入しうる開口部83が形成される。
【００３８】
引上部82のそれぞれの内面には両面テープ86が貼着されており、これを容器本体７の底面にも貼着することにより、容器本体７と底部材８が接合されている。これらのように構成された容器Ｄから異材質部材である底部材８を分別させる際には、図13(a) に示すようにコイン３を開口部83に挿入し、該コイン３の後端を容器Ｄの外側に向かって倒す。するとコイン３が開口部83の揚底部81側端面87を支点として梃子の原理により引上部82を引き上げる。このとき引上部先端82ａに傾斜面82ｂが形成されていることからコイン３を該傾斜面82ｂの内側に挿入してこれを押し上げ、容器本体７と底部材８との接合を解除することが可能となっている。
【００３９】
また、第三実施例及び第四実施例に於いては二つの引上部夫々の先端を外側に向けて配置したが、これらを内側に向けて即ち対向させることでもよい。図14に示すのは本発明に係る第五の実施例であって、(a) は底部側面断面図、(b) は底部下面図、図15は異材質部材を取り外す際の動作を説明する図である。上記各実施例と説明の重複する部分については、同一の符号を付して説明を省略する。
【００４０】
図14に示すように本実施例に係る容器Ｅは、容器本体７と、該容器本体７の底部72に嵌着された異材質部材である底部材９とから構成されている。図14(a) に示すように、容器本体７の底面略中央には凹部74が形成されている。
【００４１】
底部材９は容器本体７側に後退した揚底部91と、その周辺に立設される周側辺90とから構成されている。周側辺90の外面は容器本体７の外面と一致する形状及び寸法に形成され、容器本体７の外周面と面一になって意匠的に一体となる。
【００４２】
また図14(b) に示すように長方形状の揚底部91の長軸方向に並ぶ如く二つの引上部92が形成されている。二つの引上部92は共に外側の辺を揚底部91と連続させて屈曲部94とし、それぞれの先端を対向させている。またこれらの先端の間には開口部93が形成されており、該開口部93と前述の凹部74は対応した位置に配置されている。
【００４３】
引上部92のそれぞれの内面には両面テープ96が貼着されており、これを容器本体７の底面にも貼着することにより、容器本体７と底部材９が接合されている。
【００４４】
これらのように構成された容器Ｅから異材質部材である底部材９を分別させる際には、図14(a) に破線にて示すようにコイン３を開口部93に挿入し、これを図15に示すように右側に傾けた場合には、右側の引上部92の引上部先端92ａを支点として梃子の如く作用し、左側の引上部92を引き起こすことができる。またコイン３を左側に傾けた場合も同様にして右側の引上部92を引き起こすことができる。このとき開口部93の内面に凹部74が位置していることにより、コイン３を引上部92先端の内側に挿入してこれを押し上げ、容器本体７と底部材９の接合を解除することが可能となっている。
【００４５】
なお、上記いずれの実施例も容器本体をガラスで、肩部材及び底部材を合成樹脂で形成したが、その他スプレー缶のような金属製部材と樹脂性部材を混在させた容器、またはペットボトルのように異なった合成樹脂（例えば、ＡＢＳとポリプロピレン）を用いる容器にも応用できることは勿論である。
【００４６】
【発明の効果】
本発明に係る異材質部材組付容器は、上述の如く異材質部材の底部に設けた引上部をコイン等の板状部材を用いて引き上げることによって、梃子の原理により軽い力にて容器本体と異材質部材との結合を解除し、すなわち分離させることができる。したがって異材質部材を商品が使用されている間は不用意に外れることがないよう堅固に取り付けても、廃棄する際には一般消費者によっても容易に分別させることが可能である。
【図面の簡単な説明】
【図１】第一実施例に係る異材質部材組付容器の外観斜視図である。
【図２】容器の底部斜視図である。
【図３】容器の底部であって(a) は側面断面図、(b) は下面図である。
【図４】異材質部材を取り外す際の動作を説明する図である。
【図５】屈曲部の内面に切込を設けた例であって、(a) は底部側面断面図、(b) は動作を説明する図である。
【図６】容器本体１の底段部13であって開口部23に対応する位置に凹部13ａを形成した例であり、(a) は底部側面断面図、(b) は動作を説明する図である。
【図７】第二実施例に係る容器であって(a) は底部側面断面図、(b) は底部下面図である。
【図８】異材質部材を取り外す際の動作を説明する図である。
【図９】開口部に蓋を設けた例であって、(a) は底部側面断面図、(b) は底部下面図である。
【図１０】揚底部51の開口部53の縁に支点を形成した例である。
【図１１】第三実施例に係る容器であって(a) は底部側面断面図、(b) は容器の底部下面図である。
【図１２】異材質部材を容器本体から分別する際の動作を説明する図である。
【図１３】第四実施例に係る容器であって、(a) は底部側面断面図、(b) は底部下面図である。
【図１４】第五実施例に係る容器であって、(a) は底部側面断面図、(b) は底部下面図である。
【図１５】異材質部材を取り外す際の動作を説明する図である。
【符号の説明】
Ａ〜Ｅ    …容器
Ｘ    …矢印
３    …コイン
１、  ４、  ７    …容器本体
11    …首部
12、  42、  72    …底部
13、  73    …底段部
43    …第一段部
44    …第二段部
45    …第三段部
44ａ  …係合溝
13ａ、45ａ、74    …凹部
２、  ５、  ６、  ８、  ９    …底部材
20、  50、  60、  80、  90    …周側辺
21、  51、  61、  81、  91    …揚底部
22、  52、  62、  82、  92    …引上部
22ａ、52ｃ、62ｃ、82ａ、92ａ  …引上部先端
22ｂ、82ｂ  …傾斜面
22ｃ、52ｄ、62ｄ、82ｃ、92ｂ  …スリット
23、  53、  63、  83、  93    …開口部
24、  54、  64、  84、  94    …屈曲部
25、  55、  65    …切込
26、  86、  96    …両面テープ
52ａ、62ａ  …立設片
52ｂ、62ｂ  …係止突起
53ａ  …蓋
53ｂ  …ヒンジ部
53ｃ  …肉薄部
27、  56、  66、  87    …端面
【図１】
0003682128.tif 000002
【図２】
0003682128.tif 000003
【図３】
0003682128.tif 000004
【図４】
0003682128.tif 000005
【図５】
0003682128.tif 000006
【図６】
0003682128.tif 000007
【図７】
0003682128.tif 000008
【図８】
0003682128.tif 000009
【図９】
0003682128.tif 000010
【図１０】
0003682128.tif 000011
【図１１】
0003682128.tif 000012
【図１２】
0003682128.tif 000013
【図１３】
0003682128.tif 000014
【図１４】
0003682128.tif 000015
【図１５】
0003682128.tif 000016